(57)【要約】  ＥＬ発光素子を利用した発光装飾体を提供する。  ＥＬ発光素子１の透明電極１ｅに接着性および光透過性さらには必要に応じて絶縁性、ウオータバリア性を有するバインダ層２を介して複数層のインク層や単層の金属箔層を含んで少なくとも一部分に光透過性を有した装飾層３が積層されている。バインダ層２は、ＥＬ発光素子１の透明電極１ｅと装飾層３（インク層３ｃ）との双方に接着力を発揮する接着性と、ＥＬ発光素子１の発光体層１ｄで発光した光を遮断することのない光透過性とを有している。この接着性は、主に、透明電極１ｅと装飾層３（インク層３Ｃ）との双方にレベリング性（平坦性）による密着で接着力を発揮するものである。
2010001486.tif 000002
【特許請求の範囲】
【請求項１】
ＥＬ発光素子の透明電極に接着性および光透過性を有するバインダ層を介して少なくとも一部分に光透過性を有した装飾層が積層されていることを特徴とする発光装飾体。
【請求項２】
請求項１の発光装飾体において、バインダ層は絶縁性、ウオータバリア性の一方または双方を有していることを特徴とする発光装飾体。
【請求項３】
請求項１または２の発光装飾体において、装飾層は複数層のインク層を含むことを特徴とする発光装飾体。
【請求項４】
請求項１〜３のいずれかの発光装飾体において、装飾層は少なくとも単層の金属箔層を含むことを特徴とする発光装飾体。
【請求項５】
請求項１の発光装飾体において、前記ＥＬ発光素子は、無機材料からなることを特徴とする発光装飾体。
【発明の詳細な説明】
【技術分野】
【０００１】
本発明は、ＥＬ（Ｅｌｅｃｔｒｏ  Ｌｕｍｉｎｅｓｃｅｎｃｅ）を光源とする発光装飾体に係る技術分野に属する。
【背景技術】
【０００２】
最近、軽量化、薄性化に対応する面発光の光源として、ＥＬを利用したＥＬシートが提供されている。ＥＬシートは、図７に示すように、背面保護層ａ、背面電極ｂ、誘電体層ｃ、発光体層ｄ、透明電極ｅ、表面保護層ｆが積層され厚さ０．３ｍｍ程度に形成された汎用製品が提供されている。背面保護層ａ、表面保護層ｆは、絶縁性、ウオータバリア性を有して背面電極ｂ、誘電体層ｃ、発光体層ｄ、透明電極ｅを包囲している。【０００３】
従来、ＥＬシートを利用した発光装飾体としては、例えば、以下に記載のものが知られている。特許文献１、２には、ＥＬシートの表面保護層に透明接着剤層を介して少なくとも一部分に光透過性を有した装飾層が積層されたことを特徴とする発光装飾体が記載されている。なお、ＥＬシートの表面保護層は、製造段階で透明電極を蒸着形成するための蒸着基板として機能する。
【特許文献１】特許第２７２３１７７号公報
【特許文献２】特許第２７９９９６６号公報
【発明の開示】
【発明が解決しようとする課題】
【０００４】
特許文献１、２に係る発光装飾体では、ＥＬシートの透明電極と装飾層との間に表面保護層、透明接着剤層の２層が介在されているため、表面保護層、透明接着剤層が光透過性を有しているものの光の乱反射が起こりやすく輝度が低下してしまうという問題点がある。【０００５】
本発明は、このような問題点を考慮してなされたもので、ＥＬ発光素子を利用した発光装飾体を提供することを課題とする。
【課題を解決するための手段】
【０００６】
前述の課題を解決するため、本発明に係る発光装飾体は、請求の範囲の各請求項に記載の手段を採用する。【０００７】
即ち、請求項１では、ＥＬ発光素子の透明電極に接着性および光透過性を有するバインダ層を介して少なくとも一部分に光透過性を有した装飾層が積層されていることを特徴とする。【０００８】
この手段では、ＥＬ発光素子の透明電極と装飾層との間に複数層ではなく単層のバインダ層が介在される。【０００９】
また、請求項２では、請求項１の発光装飾体において、バインダ層は絶縁性、ウオータバリア性の一方または双方を有していることを特徴とする。【００１０】
この手段では、装飾層の特性に対応して必要な絶縁性、ウオータバリア性がバインダ層に備えられる。【００１１】
また、請求項３では、請求項１または２の発光装飾体において、装飾層は複数層のインク層を含むことを特徴とする。【００１２】
この手段では、装飾層に印刷手段等による複数層のインク層で装飾が施される。【００１３】
また、請求項４では、請求項１〜３のいずれかの発光装飾体において、装飾層は少なくとも単層の金属箔層を含むことを特徽とする。【００１４】
この手段では、装飾層に箔押手段等による少なくとも単層の金属箔層で装飾が施される。【００１５】
また、請求項５では、請求項１の発光装飾体において、ＥＬ発光素子は、無機材料からなることを特徴とする。
【発明の効果】
【００１６】
本発明に係る発光装飾体は、ＥＬ発光素子の透明電極と装飾層との間に複数層ではなく単層のバインダ層が介在されるため、光の乱反射が防止されて輝度が高くなる効果がある。【００１７】
また、請求項２として、装飾層の特性に対応して必要な絶縁性、ウオータバリア性がバインダ層に備えられるため、ＥＬ発光素子の表面保護層の省略による劣化の進行が避けられる効果がある。【００１８】
また、請求項３として、装飾層に印刷手段等による複数層のインク層で装飾が施されるため、多色化等で装飾性が高くなる効果がある。【００１９】
また、請求項４として、装飾層に箔押手段等による少なくとも単層の金属箔層で装飾が施されるため、光透過、光非透過の組み合わせ等で装飾性が高くなる効果がある。【００２０】
また、請求項５として、本発明に係る発光装飾体の構造において、無機材料からなるＥＬ発光素子を用いることにより、外観形状が平板（フラット）構造のみならず、湾曲（カーブ）構造等であっても、薄型化を図りつつ、十分に高いガスバリア性を実現することができる。
【図面の簡単な説明】
【００２１】
【図１】本発明に係る発光装飾体を実施するための最良の形態の第１例の斜視図であり、（Ａ）に分解状態が示され、（Ｂ）に積層状態が示されている。
【図２】図１の使用例を示す斜視図であり、（Ａ）に取付前の状態が示され、（Ｂ）に取付後の状態が示されている。
【図３】図２の取付構造の変形例を示す一部切断の斜視図である。
【図４】本発明に係る発光装飾体を実施するための最良の形態の第２例の斜視図であり、（Ａ）に分解状態が示され、（Ｂ）に積層状懇が示されている。
【図５】図４の便用例を示す斜視図であり、（Ａ）に取付前の状態が示され、（Ｂ）に取付後の状態が示されている。
【図６】図５の取付構造の変形例を示す一部切断の斜視図である。
【図７】従来より揚供されているＥＬシートの汎用製品の積層構造を示す斜視図である。
【図８】本発明を適用したキーレスエントリー装置の外観を示す図である。
【図９】被装飾品Ａに発光パネルＢを適用したＳ字型した電気スタンドの構成を示す斜視図である。
【図１０】被装飾品Ａに発光パネルＢを適用した湾曲した電気スタンドの構成を示す斜視図である。
【図１１】被装飾品Ａに発光パネルＢを適用した半径の大きい電気スタンドの構成を示す斜視図である。
【図１２】被装飾品Ａに発光パネルＢを搭載した大きく曲線した電気スタンドの構成を示す斜視図である。
【図１３】被装飾品Ａに発光パネルＢを搭載した車の三角表示板の構成を示す斜視図である。
【図１４】被装飾品Ａに発光パネルＢを搭載したノートパソコンの構成を示す斜視図である。
【図１５】被装飾品Ａに発光パネルＢを搭載した照明器具の構成を示す斜視図である。
【図１６】被装飾品Ａに発光パネルＢを搭載した卓上電話機の構成を示す斜視図である。
【図１７】被装飾品Ａに発光パネルＢを搭載した携帯電話機の構成を示す斜視図である。
【図１８】被装飾品Ａに発光パネルＢを搭載したインテリア構成を示す斜視図である。
【図１９】被装飾品Ａに発光パネルＢを搭載したコンパクトの構成を示す斜視図である。
【図２０】被装飾品Ａに発光パネルＢを搭載した車内装の構成を示す斜視図である。
【図２１】被装飾品Ａに発光パネルＢを搭載した照明スイッチの構成を示す斜視図である。
【図２２】被装飾品Ａに発光パネルＢを搭載したテレビの構成を示す斜視図である。
【図２３】被装飾品Ａに発光パネルＢを搭載したビデオカメラの構成を示す斜視図である。
【符号の説明】
【００２２】
ｌ            ＥＬ発光素子
１ｅ          透明電極
２            バインダ層
２ａ          第１のバインダ層
２ｂ          第２のバインダ層
３            装飾層
３ａ          金属箔層
３ｂ，３ｃ    インク層
４            パネル基材
Ａ            被装飾品
Ｂ            発光パネル
【発明を実施するための形態】
【００２３】
以下、本発明に係る発光装飾体を実施するための形態を図１〜図６に基づいて説明する。
【００２４】
図１〜図３は、本発明に係る発光装飾体を実施するための最良の形態の第１例を示すものである。
【００２５】
第１例では、携帯電話、車輌の計器パネル等の被装飾品Ａの表面に取付けられる表面パネル等の発光パネルＢに適用したものを示してある。
【００２６】
第１例は、図１に示すように、ＥＬ発光素子１、バインダ層２、装飾層３をパネル基材４に一体化させた構造となっている。
【００２７】
ＥＬ発光素子１は、印刷手段等によって、背面保護層１ａ、背面電極１ｂ、誘電体層１ｃ、発光体層１ｄ、透明電極１ｅが積層されている。即ち、図７に示した汎用製品の表面保護層ｆが省略されている。背面保護層１ａは、例えば、メジウムからなる。背面電極１ｂは、例えば、カーボン、樹脂バインダのインクからなる。誘電体層１ｃは、例えば、チタン酸バリウム、フッ素樹脂バインダのインクからなる。発光体層１ｄは、例えば、硫化亜鉛、銅、フッ素樹脂バインダのインクからなる。透明電極１ｅは、例えば、酸化インジウム−スズ（ＩＴＯ）からなる。背面保護層１ａには、背面保護層１ａの外側面に背面電極１ｂ、透明電極１ｅを開放させるための２つのスルーホール１ｆ，１ｇが穿孔されている。背面電極１ｂ、誘電体層１ｃ、発光体層１ｄには、背面保護層１ａの外側面に透明電極１ｅを露出させるための１つのスルーホール１ｇが穿孔されている。
【００２８】
このＥＬ発光素子１は、背面電極１ｂ、透明電極１ｅに電圧を印加することによって、発光体層１ｄを発光させて透明電極１５側を発光面とすることができるものである。
【００２９】
バインダ層２は、ＥＬ発光素子１の透明電極１ｅと装飾層３（インク層３ｃ）との双方に接着力を発揮する接着性と、ＥＬ発光素子１の発光体層１ｄで発光した光を遮断することのない光透過性とを有している。この接着性は、主に、透明電極１ｅと装飾層３（インク層３Ｃ）との双方にレベリング性（平坦性）による密着で接着力を発揮するものである。
【００３０】
このバインダ層２は、ＥＬ発光素子１の表面保護層ｆ（図７参照）が省略されていることの機能補充のために、必要に応じて絶縁性、ウオータバリア性が備えられる。ウオータバリア性は、ＥＬ発光素子１の発光体層１ｄの硫化亜鉛の劣化に必要とされる。
【００３１】
装飾層３は、パネル基材４をベースとした印刷手段、箔押手段等によって、単層のアルミニウム等の金属箔層３ａの両側にインク層３ｂ，３ｃが積層されている。
【００３２】
この装飾層３は、金属箔層３ａで光透過、光非透過の組み合わせ等の装飾が施され、２層のインク層３ｂ，３ｃで多色化等の装飾が施されるため、高度の装飾性（意匠性）が備えられている。
【００３３】
パネル基材４は、発光パネルＢの形状を保形するアクリル、ポリカーボネード等のシート、板からなる。
【００３４】
第１例を製造するには、パネル基材４に積層された装飾層３の上に印刷手段等でバインダ層２を積層し、別途製造したＥＬ発光素子１を透明電極１ｅがバインダ層２に接合されるように積層することになる。なお、発光パネルＢの製品としては、ＥＬ発光素子１の背面保護層１ａの外側面に接着貼層５が積層され、必要に応じてさらに剥離シート（図示せず）が積層される。接着貼層５についても、ＥＬ発光素子１のスルーホール１ｆ，１ｇに対応したスルーホール５ａ，５ｂが穿孔される。
【００３５】
第１例によると、ＥＬ発光素子１の透明電極１ｅと装飾層３との間に複数層ではなく単層のバインダ層２が介在されている。従って、光の乱反射が起こらなくなって輝度が高くなる。
【００３６】
また、図２に示すように、被装飾品Ａに電源６と接続するインバータ７を内蔵し、被装飾品Ａの被取付面にインバータ７に接続した電極８を設けておくことで、剥離シートを剥離して接着貼層５を露出させた発光パネルＢをパネル基材４で形状が保形された状態でワンタッチで接合取付けして発光させることができる。従って、発光パネルＢの取付け工作が容易になる。
【００３７】
なお、図３に示すように、被装飾品Ａの被取付面を発光パネルＢが嵌込み取付けすることのできる溝形に形成することも可能である。
【００３８】
図４〜図６は、本発明に係る発光装飾体を実施するための最良の形態の第２例を示すものである。
【００３９】
第２例は、ＥＬ発光素子１から背面保護層１ａを除去し、バインダ層２を第１のバインダ層２ａと第２のバインダ層２ｂとに分離し、ＥＬ発光素子１、バインダ層２、装飾層３、パネル基材４の積層構造を改良している。
【００４０】
即ち、第２のバインダ層２ｂは、第１例のバインダ層２と共通のものでＥＬ発光素子１の透明電極１ｅと装飾層３とを接合している。ただし、装飾層３は、パネル基材４に積層されておらず、外側面がオーバコート層９で保護されている。
【００４１】
第１のバインダ層２ａは、ＥＬ発光素子１の背面電極１ｂとパネル基材４との双方に接着力を発揮する接着性を有しているが、ＥＬ発光素子１の発光体層１ｄで発光した光を遮断することのない光透過性を有している必要がないものである。第１のバインダ層２ａについても、ＥＬ発光素子１の背面保護層１ａが省略されていることの機能補充のために、必要に応じて絶縁性、ウオータバリア性が備えられる。
【００４２】
また、パネル基材４には、外側面にＥＬ発光素子１の背面電極１ｂ、透明電極１ｅを開放させるための２つのスルーホール４ａ，４ｂが穿孔されている。
【００４３】
第２例を製造するには、外側面にオーバコート層９が積層された装飾層３の内側面に印刷手段等で第２のバインダ層２ｂを積層し、別途製造したＥＬ発光素子１を透明電極１ｅが第２のバインダ層２ｂに接合されるように積層し、パネル基材４に印刷手段等で第１のバインダ層２ａを積層し、先に第２のバインダ層２ｂを介して装飾層３に接合されたＥＬ発光素子１を背面電極１ｂが第１のバインダ層２ａに接合されるように積層することになる。なお、発光パネルＢの製品としては、パネル基材４の外側面にスルーホール５ａ，５ｂが穿孔された接着貼層５が積層され、必要に応じてさらに剥離シート（図示せず）が積層される。
【００４４】
第２例によると、第１例とほぼ同様の作用、効果が奏される。
【００４５】
なお、図６に示すように、第２例についても、被装飾品Ａの被取付面を発光パネルＢが嵌込み取付けすることのできる溝形に形成することも可能である。
【００４６】
以上、図示した各例の外に、被装飾品Ａの表面に取付けられる発光パネルＢ以外に適用することも可能である。
【００４７】
さらに、パネル基材４がわずかに湾曲したり凹凸構造を有したりしたものでも実施することが可能である。
【００４８】
＜ＥＬについて＞
ここで、ＥＬについて説明する。ＥＬを用いたＥＬ表示装置には、発光体が無機材料からなる無機ＥＬ素子を用いた無機ＥＬパネルと、発光体が有機材料からなる有機ＥＬ素子を用いた有機ＥＬパネルとが存在する。
【００４９】
これらの無機ＥＬ素子および有機ＥＬ素子はいずれも、湿気により劣化するため、ＥＬ表示装置では、防湿等のために発光素子部を封止することが不可欠になっている。
【００５０】
ここで、有機ＥＬ素子に使用される発光体（有機発光体）や正孔輸送層等の有機固体は、一般に水分や酸素に弱く、素子内に存在する水分や酸素により、ダークスポット（非発光部）の成長や光透過度の低下を招いてしまう。従って、有機ＥＬ素子の信頼性を保証するためには、有機材料や電極材料への水分および酸素の進入を阻止すべく、ＥＬ素子を封止しなければならない。
【００５１】
また、有機ＥＬ素子の封止方法においては、例えば、有機ＥＬ素子を吸湿材と共に金属封止する方法や、背面電極の外側にガラス板を設けて背面電極とガラス板の間にシリコーンオイルを封入する方法等がある。また、ガスバリア性に優れた有機フィルムや無機酸化物蒸着膜を有するフィルムで有機ＥＬ素子を封止する方法もある。
【００５２】
また、有機ＥＬ素子を封止するフィルム（有機フィルム）としては、ポリクロロトリフルオロエチレン（ＰＣＴＦＥ）等の有機薄膜や、真空蒸着法、スパッタリング法、イオンプレーティング法等の物理気相成長法（ＰＶＤ法）や、プラズマ化学気相成長法、熱化学気相成長法、光化学気相成長法等の化学気相成長法（ＣＶＤ法）を利用して、プラスチック基材上にＳｉＯ２、Ａｌ２Ｏ３、ＭｇＯ等の無機酸化物膜を形成した、透明なガスバリア性フィルムが候補とされている。
【００５３】
ここで、有機ＥＬ素子を表示装置として製品化する際に必要とされる封止材には、透明性と同時に、高いガスバリア性が要求される。
【００５４】
しかしながら、現在のガスバリア性を有する有機フィルムに関して、有機ＥＬ素子の封止用として有効なガスバリア性は実現されていない。例えば、有機ＥＬ素子封止として用いられているものではないガスバリア性フィルムを転用した場合、有機ＥＬ素子封止に十分なガスバリア性を実現するためには、膜厚を相当程度する必要がある。
【００５５】
しかし、製品のデザイン性や利便性の観点からは、表示装置の薄型化が要請されている。従って、薄型化を図りつつ、高いガスバリア性を実現する必要がある。
【００５６】
ここで、上述したような本発明に係る発光装飾体の構造によれば、無機ＥＬ素子において、外観形状が平板（フラット）構造のみならず、湾曲（カーブ）構造等であっても、薄型化を図りつつ、十分に高いガスバリア性を実現することができる。また、ガスバリア性が良いということは、水分や酸素の進入を阻止することができる（防湿効果が高い）ということなので、本発明に係る発光装飾体によれば、ダークスポット（非発光部）の成長や光透過度の低下を招くことがなく、無機ＥＬ素子の信頼性（高寿命等）を保つことができる。
【００５７】
従って、例えば、自動車のドアを遠隔操作により施錠（ロック）または開錠（アンロック）するキーレスエントリー装置１００において、上部パネルを背面から照射する構成にした場合、従来の技術によれば、ＥＬ素子を用いた表示装置そのものが大規模なものになるため、キーレスエントリー装置１００自体が大型化してしまい、デザイン性や操作性に問題があり、また、製造コストが高額なものになってしまう。
【００５８】
しかし、本発明に係る発光装飾体を利用すれば、無機ＥＬ素子を用いた表示装置を、バインダ層を介して上部パネルに張り付けることにより、一体化して上部パネルを構成することができるので、従来の技術を利用した商品に比して薄型化を実現でき、デザイン性や操作性が良く、また、製造コストを低廉にできる。また、本発明に係る発光装飾体を利用すれば、例えば、図８に示すように、表示装置付きの上部パネル１０１の電極１０３と、下側筐体１０２の電極１０４とが電気的に導通するように、表示装置付きの上部パネル１０１を下側筐体１０２に嵌め込むことにより、薄型のキーレスエントリー装置１００を製造することができる。
【００５９】
＜バインダ層について＞
つぎに、本発明に係る発光装飾体のバインダ層２について説明する。例えば、フィルム状の光源として利用される分散型無機ＥＬでは、構造上、基材ベース（絶縁層）が必要であり、樹脂素材を用いているため、外観形状が湾曲構造の場合、一定の曲率（例えば、Ｒ＝ｎとする。）を超えると、いわゆる応力による白化現象が生じたり、折れてしまう可能性がある。
【００６０】
また、スクリ一ン印刷を利用してＥＬ素子をシートに塗布する場合、薄いシートを利用すると、インクや発光体を塗布する工程において、シートの基材が塗布時の力により変形したり、また、エア・バキュームを使用すると、シートそのものが変形してしまい、塗布膜が均一にならない問題がある。ここで、シートの基材が変形したり、塗布膜が不均一であると、ＥＬ素子の発光にムラが生じてしまう。
【００６１】
ここで、本発明では、バインダ層２を液体のウレタンやエポキシ素材等の熱硬化性液状樹脂により構成する。このようなバインダ層２を剥離しやすい板やシート上に塗布し硬化させることにより、シート状に通電層を作成し、発光体層−通電層−ウレタン層なる構成にし、両面が柔らかい素材により挟み込まれる（サンド）ため、白化現象が生じるような従来品と比較して、一定の曲率（Ｒ＝ｎ）を超える湾曲面に対して密着・追随することができる。
【００６２】
従って、本発明に係る発光装飾体は、後述の＜応用例＞で示すように、従来困難であった、一定の曲率を超える曲面を有する湾曲形状のパネルに利用することができる。
【００６３】
また、着色シートを使用した場合において、ＥＬ素子の発光時の色調と、未発光時の色調の主とした２色の表面色を異なる色調を要求されるときには、透過色のシートを使用することで対応することができ、裏面と表面の両面に意匠面を有する中間層による立体の印刷意匠を作成することができ、また、複数色の表現が可能になる。
【００６４】
また、表面の絶縁層および導通層作成後に、意匠印刷を行えば、同一のシートの表面に遮光色を印刷した後に意匠印刷を行う未発光部の印刷工程を削除することができ、表面の印刷面の硬度（素材により）が向上し、表面の凹凸を無くし、滑らかにすることができる。
【００６５】
また、エポキシ樹脂やウレタン樹脂素材は、半導体の保護、回路封止素材として利用されており、通電層の保護としても有効である。
【００６６】
また、表面の凹凸を均一化することは、電気通電層の密着にも有効であり、ＥＬの寿命と関係のある酸化防止の手段としての空気排除が行えることにより、シートに接着材を使用するコールドラミネート・樹脂基材を溶融して接着するホットラミネートも不要になり、酸化の原因としての空気層の排除が可能で寿命の長期化に寄与することができる。
【００６７】
また、エポキシ樹脂やウレタン樹脂素材は、耐水性の向上にも効果があり、加水分解も起こりにくく、柔らかいために暴風等の雨の防水や風等の圧力にも効果がある。
【００６８】
また、表面への印刷も可能で素材そのものへの着色も可能である。
【００６９】
＜応用例＞
次に、上述した実施形態に係る被装飾品Ａに発光パネルＢを搭載した製品について説明する。
【００７０】
図９は、被装飾品Ａに発光パネルＢを適用したＳ字型した電気スタンド２０００の構成を示す斜視図である。電気スタンド２０００は、Ｓ字型した電気スタンド本体２００１の発光取付部（図示せず）に発光パネルＢが取り付けられているので、第１例、第２例とほぼ同様の作用効果を奏する。
【００７１】
図１０は、被装飾品Ａに発光パネルＢを搭載した湾曲した電気スタンド２１００の構成を示す斜視図である。電気スタンド２１００は、電気スタンド本体２１０１の発光取付部（図示せず）に発光パネルＢが取り付けられているので、第１例、第２例とほぼ同様の作用効果を奏する。
【００７２】
図１１は、被装飾品Ａに発光パネルＢを適用した半径の大きい電気スタンド２２００の構成を示す斜視図である。電気スタンド２２００は、半径の大きい電気スタンド本体２２０１の発光取付部（図示せず）に発光パネルＢが取り付けられているので、第１例、第２例とほぼ同様の作用効果を奏する。
【００７３】
図１２は、被装飾品Ａに発光パネルＢを適用した大きく湾曲した電気スタンド２３００の構成を示す斜視図である。電気スタンド２３００は、大きく湾曲した電気スタンド本体２３０１の光取付部（図示せず）に発光パネルＢが取り付けられているので、第１例、第２例とほぼ同様の作用効果を奏する。
【００７４】
図１３は、被装飾品Ａに発光パネルＢを搭載した車の三角表示板２４００の構成を示す斜視図である。三角表示板２４００は、三角表示板表面２４０１の発光取付部（図示せず）に発光パネルＢ（図中のＥＬ部分）が取り付けられているので、第１例、第２例とほぼ同様の作用効果を奏する。
【００７５】
図１４は、被装飾品Ａに発光パネルＢを搭載したノートパソコン２５００の構成を示す斜視図である。ノートパソコン２５００は、ノートパソコン画面部の表面２５０１の発光取付部（図示せず）に発光パネルＢ（図中のＥＬ部分）が取り付けられているので、第１例、第２例とほぼ同様の作用効果を奏する。
【００７６】
図１５は、被装飾品Ａに発光パネルＢを搭載した照明器具２６００の構成を示す斜視図である。照明器具２６００は、照明器具本体２６０１の発光取付部（図示せず）に発光パネルＢ（図中のＥＬ部分）が取り付けられているので、第１例、第２例とほぼ同様の作用効果を奏する。
【００７７】
図１６は、被装飾品Ａに発光パネルＢを搭載した卓上電話機２７００の構成を示す斜視図である。卓上電話機２７００は、卓上電話機のパネル２７０１の発光取付部（図示せず）に発光パネルＢ（図中のＥＬ部分）が取り付けられているので、第１例、第２例とほぼ同様の作用効果を奏する。
【００７８】
図１７は、被装飾品Ａに発光パネルＢを搭載した携帯電話機２８００の構成を示す斜視図である。携帯電話機２８００は、携帯電話機パネル部２８０１および携帯電話機裏面２８０２の発光取付部（図示せず）に発光パネルＢ（図中のＥＬ部分）が取り付けられているので、第１例、第２例とほぼ同様の作用効果を奏する。
【００７９】
図１８は、被装飾品Ａに発光パネルＢを搭載したインテリア２９００の構成を示す斜視図である。インテリア２９００は、机の上面２９０１、椅子の背面２９０２、床部分２９０３および壁面２９０４の発光取付部（図示せず）に発光パネルＢ（図中のＥＬ部分）が取り付けられているので、第１例、第２例とほぼ同様の作用効果を奏する。
【００８０】
図１９は、被装飾品Ａに発光パネルＢを搭載したコンパクト３０００の構成を示す斜視図である。コンパクト３０００は、コンパクトの内側の外周部３００１の発光取付部（図示せず）に発光パネルＢ（例えば、図中のＥＬ部分）が取り付けられているので、第１例、第２例とほぼ同様の作用効果を奏する。
【００８１】
図２０は、被装飾品Ａに発光パネルＢを搭載した車内装３１００の構成を示す斜視図である。車内装３１００は、天井部３１０１、バイザー３１０２、クラクション３１０３、フロントドアパネル３１０４、シートベルト用バックル３１０５、センターコンソール３１０６、フットサイドパネル足元３１０７、センターダッシュボード３１０８および（可倒式）アシストグリップ（符号なし）の発光取付部（図示せず）のそれぞれに発光パネルＢ（図中のＥＬ部分）が取り付けられているので、第１例、第２例とほぼ同様の作用効果を奏する。
【００８２】
図２１は、被装飾品Ａに発光パネルＢを搭載した照明スイッチ３２００の構成を示す斜視図である。照明スイッチ３２００は、照明スイッチのパネル３２０１の発光取付部（図示せず）に発光パネルＢ（図中のＥＬ部分）が取り付けられているので、第１例、第２例とほぼ同様の作用効果を奏する。
【００８３】
図２２は、被装飾品Ａに発光パネルＢを搭載したテレビ３３００の構成を示す斜視図である。テレビ３３００は、テレビ表面の外周３３０１、テレビ表面の外周３３０１の下側に配置されたネームプレート配置部（符号なし）、テレビ裏面３３０２およびテレビ支持台（符号なし）の発光取付部（図示せず）のそれぞれに発光パネルＢ（図中のＥＬ部分）が取り付けられているので、第１例、第２例とほぼ同様の作用効果を奏する。
【００８４】
図２３は、被装飾品Ａに発光パネルＢを搭載したビデオカメラ３４００の構成を示す斜視図である。ビデオカメラ３４００は、ビデオカメラ側面の操作部３４０１の発光取付部（図示せず）に発光パネルＢ（図中のＥＬ部分）が取り付けられているので、第１例、第２例とほぼ同様の作用効果を奏する。
【図１】
2010001486.tif 000003
【図２】
2010001486.tif 000004
【図３】
2010001486.tif 000005
【図４】
2010001486.tif 000006
【図５】
2010001486.tif 000007
【図６】
2010001486.tif 000008
【図７】
2010001486.tif 000009
【図８】
2010001486.tif 000010
【図９】
2010001486.tif 000011
【図１０】
2010001486.tif 000012
【図１１】
2010001486.tif 000013
【図１２】
2010001486.tif 000014
【図１３】
2010001486.tif 000015
【図１４】
2010001486.tif 000016
【図１５】
2010001486.tif 000017
【図１６】
2010001486.tif 000018
【図１７】
2010001486.tif 000019
【図１８】
2010001486.tif 000020
【図１９】
2010001486.tif 000021
【図２０】
2010001486.tif 000022
【図２１】
2010001486.tif 000023
【図２２】
2010001486.tif 000024
【図２３】
2010001486.tif 000025
【国際調査報告】
2010001486.tif 000026
2010001486.tif 000027